(57)【要約】【課題】寿命が異なる像保持体を各々有した複数種類の装着部材が装着可能な画像形成装置における各装着部材の寿命の判断をより簡易に行うことができるようにする。【解決手段】プロセスカートリッジ１００に設けられた感光体ドラム１１の感光層の厚みは３７μｍとなっている。また感光体ドラム１１の外径は３０ｍｍとなっている。画像形成装置１では、このプロセスカートリッジ１００に替えて、もう一種類のプロセスカートリッジ１００が装着可能となっている。このもう一種類のプロセスカートリッジ１００では、感光体ドラム１１の感光層の厚みが上記と同様に３７μｍとなっている。また感光体ドラム１１の外径は上記と同様に３０ｍｍとなっている。さらにこの感光体ドラム１１の感光層にはＰＴＦＥが添加されている。【選択図】図１
2012098532.tif 000002
【特許請求の範囲】
【請求項１】
装置本体と、
予め定められた厚みで形成された感光層が表面に形成されるとともに予め定められた外径で形成された第１の像保持体を有し、前記装置本体に装着された第１の装着部材と、
前記第１の装着部材が装着されるとともに、当該第１の装着部材に替えて、前記第１の像保持体の前記感光層と耐摩耗性が異なる感光層を有するとともに前記予め定められた外径で形成され且つ当該感光層が前記予め定められた厚みで形成された第２の像保持体を備えた第２の装着部材、が装着可能な被装着部と、
前記第１の装着部材の前記第１の像保持体の回転数に関する情報を取得し、取得した当該情報に基づき当該第１の像保持体の寿命を判断するとともに、前記被装着部に前記第２の装着部材が装着された場合には、前記第２の像保持体の回転数に関する情報を取得し、取得した当該情報に基づき当該第２の像保持体の寿命を判断する寿命判断手段と、
を備える画像形成装置。
【請求項２】
前記第２の装着部材には、前記第２の像保持体の回転数に関する情報を記憶した記憶媒体が取り付けられ、
前記寿命判断手段は、前記被装着部に前記第２の装着部材が装着された後における前記第２の像保持体の回転数、および、前記記憶媒体から取得した前記回転数に関する情報に基づき、当該第２の像保持体の寿命を判断することを特徴とする請求項１記載の画像形成装置。
【請求項３】
前記寿命判断手段は、前記第１の像保持体の寿命を判断する際には予め定められた第１の閾値と当該第１の像保持体の回転数とを比較して寿命を判断し、前記第２の像保持体の寿命を判断する際には当該第１の閾値とは異なる第２の閾値と当該第２の像保持体の回転数とを比較して寿命を判断することを特徴とする請求項１又は２に記載の画像形成装置。
【請求項４】
前記感光層に添加されたフッ素系樹脂の添加量の差、又は、当該感光層に対するフッ素系樹脂の添加の有無によって、前記第１の像保持体の前記感光層の耐摩耗性と、前記第２の像保持体の前記感光層の耐摩耗性とが異なっていることを特徴とする請求項１乃至３の何れかに記載の画像形成装置。
【請求項５】
前記被装着部には、前記第１の装着部材に替えて装着される前記第２の装着部材として、前記第２の像保持体上に形成された静電潜像を現像する現像手段を有するとともに一成分現像剤が収容された装着部材が装着可能であることを特徴とする請求項１乃至４の何れかに記載の画像形成装置。
【発明の詳細な説明】
【技術分野】
【０００１】
本発明は、画像形成装置に関する。
【背景技術】
【０００２】
いずれかの構成要素について寿命に到達したと判定した場合に、寿命に到達した構成要素について設定された画像形成量を報知し、寿命に到達した構成要素について設定された画像形成量の画像形成をさらに行った後に画像形成を停止する画像形成装置が提案されている（例えば、特許文献１参照）。
また、像担持体の感光層の膜厚が異なる複数種類のカートリッジが着脱可能な画像形成装置が提案されている（例えば、特許文献２参照）。
【先行技術文献】
【特許文献】
【０００３】
【特許文献１】特開２００６−１２６６０６号公報
【特許文献２】特開２００６−１０６６９２号公報
【発明の概要】
【発明が解決しようとする課題】
【０００４】
本発明の目的は、寿命が異なる像保持体を各々有した複数種類の装着部材が装着可能な画像形成装置における各装着部材の寿命の判断をより簡易に行うことができるようにすることにある。
【課題を解決するための手段】
【０００５】
請求項１に記載の発明は、装置本体と、予め定められた厚みで形成された感光層が表面に形成されるとともに予め定められた外径で形成された第１の像保持体を有し、前記装置本体に装着された第１の装着部材と、前記第１の装着部材が装着されるとともに、当該第１の装着部材に替えて、前記第１の像保持体の前記感光層と耐摩耗性が異なる感光層を有するとともに前記予め定められた外径で形成され且つ当該感光層が前記予め定められた厚みで形成された第２の像保持体を備えた第２の装着部材、が装着可能な被装着部と、前記第１の装着部材の前記第１の像保持体の回転数に関する情報を取得し、取得した当該情報に基づき当該第１の像保持体の寿命を判断するとともに、前記被装着部に前記第２の装着部材が装着された場合には、前記第２の像保持体の回転数に関する情報を取得し、取得した当該情報に基づき当該第２の像保持体の寿命を判断する寿命判断手段と、を備える画像形成装置である。
【０００６】
請求項２に記載の発明は、前記第２の装着部材には、前記第２の像保持体の回転数に関する情報を記憶した記憶媒体が取り付けられ、前記寿命判断手段は、前記被装着部に前記第２の装着部材が装着された後における前記第２の像保持体の回転数、および、前記記憶媒体から取得した前記回転数に関する情報に基づき、当該第２の像保持体の寿命を判断することを特徴とする請求項１記載の画像形成装置である。
請求項３に記載の発明は、前記寿命判断手段は、前記第１の像保持体の寿命を判断する際には予め定められた第１の閾値と当該第１の像保持体の回転数とを比較して寿命を判断し、前記第２の像保持体の寿命を判断する際には当該第１の閾値とは異なる第２の閾値と当該第２の像保持体の回転数とを比較して寿命を判断することを特徴とする請求項１又は２に記載の画像形成装置である。
請求項４に記載の発明は、前記感光層に添加されたフッ素系樹脂の添加量の差、又は、当該感光層に対するフッ素系樹脂の添加の有無によって、前記第１の像保持体の前記感光層の耐摩耗性と、前記第２の像保持体の前記感光層の耐摩耗性とが異なっていることを特徴とする請求項１乃至３の何れかに記載の画像形成装置である。
請求項５に記載の発明は、前記被装着部には、前記第１の装着部材に替えて装着される前記第２の装着部材として、前記第２の像保持体上に形成された静電潜像を現像する現像手段を有するとともに一成分現像剤が収容された装着部材が装着可能であることを特徴とする請求項１乃至４の何れかに記載の画像形成装置である。
【発明の効果】
【０００７】
請求項１の発明によれば、本構成を有していない場合に比較して、寿命が異なる像保持体を各々有した複数種類の装着部材が装着可能な画像形成装置における各装着部材の寿命の判断をより簡易に行うことができるようになる。
請求項２の発明によれば、第２の装着部材に取り付けられた記憶媒体から回転数に関する情報を取得しない場合に比べ、第２の像保持体の寿命をより正確に判断することができる。
請求項３の発明によれば、本構成を有していない場合に比較して、第２の像保持体の寿命をより正確に判断可能となる。
請求項４の発明によれば、第１の像保持体の感光層の耐摩耗性と第２の像保持体の感光層の耐摩耗性とを、本構成を有していない場合に比較して、簡易に異ならせることができる。
請求項５の発明によれば、第２の像保持体の寿命に見合った分だけ現像剤を収容すればよく第２の装着部材をより安価に提供可能となる。
【図面の簡単な説明】
【０００８】
【図１】本実施の形態が適用された画像形成装置の概略構成を示した図である。
【図２】感光ドラムの断面図である。
【図３】感光体ドラムの他の構成例を示した図である。
【発明を実施するための形態】
【０００９】
以下、添付図面を参照して、本発明の実施の形態について詳細に説明する。
図１は、本実施の形態が適用された画像形成装置１の概略構成を示した図である。この画像形成装置１には、プロセスカートリッジ１００が設けられ用紙Ｐにトナー像を形成する画像形成部１０が設けられている。また、画像形成部１０により用紙Ｐに形成されたトナー像を加熱および加圧し定着する定着部２０、および画像形成部１０に用紙Ｐを供給する用紙供給部３０が設けられている。また本画像形成装置１には、着脱可能に設けられ、上記プロセスカートリッジ１００に供給されるトナーを収容したトナーカートリッジ３００が設けられている。
【００１０】
ここで、プロセスカートリッジ１００は、画像形成装置１のフロント側（図中手前側）に引き抜くことで画像形成装置１の装置本体から取り外しできるようになっている。また本実施形態では、プロセスカートリッジ１００を取り外すことにより、他のプロセスカートリッジ１００を装着可能となっている。ここで、プロセスカートリッジ１００には、感光体ドラム１１、帯電装置１２、現像装置１４、およびクリーニング装置１６が設けられている。
【００１１】
またプロセスカートリッジ１００には、ＥＥＰＲＯＭ（Electrically Erasable and Programmable ROM）などにより構成される記憶媒体１７が取り付けられている。この記憶媒体１７には、プロセスカートリッジ１００の種類を示す情報や、感光体ドラム１１の回転数などプロセスカートリッジ１００の使用状況に関する情報が格納される。また本実施形態における画像形成装置１には、露光装置１３および転写装置１５が設けられている。さらに画像形成装置１には、上記記憶媒体１７から情報を読み出すとともにこの記憶媒体１７に情報を書き込む読み出し／書き込み装置ＹＫが設けられている。
【００１２】
ここで、プロセスカートリッジ１００に設けられた感光体ドラム１１は、その外周面に感光層（詳細は後述）を備えており図中矢印方向に回転する。帯電装置１２は、感光体ドラム１１に接触する帯電ロールを有し感光体ドラム１１を予め定められた電位に帯電する。露光装置１３は、レーザを感光体ドラム１１に照射し帯電装置１２により帯電した感光体ドラム１１を選択的に露光して感光体ドラム１１に静電潜像を形成する。また現像手段として機能する現像装置１４は、現像ロールを有し感光体ドラム１１上にトナー像を形成する。
【００１３】
より具体的に説明すると、現像装置１４には、例えば、負極性に帯電するトナー及び正極性に帯電するキャリアからなる二成分現像剤が収容されている。そしてこの現像装置１４は、感光体ドラム１１上に形成された静電潜像をトナーで現像して感光体ドラム１１上にトナー像を形成する。転写装置１５は、ロール状部材を有し転写装置１５と感光体ドラム１１との間（転写部Ｔｐ）に電界を形成することにより、感光体ドラム１１上のトナー像を用紙Ｐに転写する。またクリーニング装置１６は、感光体ドラム１１に接触するクリーニングブレードを有しこのクリーニングブレードを用いて感光体ドラム１１上に残留するトナー等を除去する。
【００１４】
なお、感光体ドラム１１は、図２（感光ドラム１１の断面図）に示すように、アルミなどの金属素管と、この金属素管の表面に形成された感光層１１Ａとから構成されている。ここで感光層１１Ａには、金属素管から外方に向かって順に、アンダーコート層（ＤＵＣ）、電荷発生層（ＣＧＬ）、電荷輸送層（ＣＴＬ）が設けられている。また感光層１１Ａには、樹脂材料により構成され保護層として機能するオーバーコート層（ＯＣＬ）が設けられている。
【００１５】
一方、用紙供給部３０は、図１に示すように、異なるサイズの用紙Ｐを画像形成部１０に対して供給可能なように第１給紙部３１〜第３給紙部３３を備えている。ここで第１給紙部３１〜第３給紙部３３は同様に構成されている。第１給紙部３１を一例に説明すると、第１給紙部３１は、用紙Ｐを収容する用紙収容部４１、引き込みロール４３、および捌き機構４４を備える。用紙収容部４１は、上部に開口を有するとともに直方体状の形状を有しておりその内部に用紙Ｐを複数枚収容する。引き込みロール４３は、用紙収容部４１に収容される用紙束のうち最上位の用紙Ｐに接触しこの最上位の用紙Ｐを捌き機構４４に向けて送り出す。捌き機構４４は、例えば回転可能なフィードロールと回転が制限されたリタードロールとによって構成され、引き込みロール４３により送り出された用紙Ｐを一枚ずつに捌く。
【００１６】
また用紙供給部３０には、レジストレーションロール(レジロール)８５２が設けられている。このレジロール８５２は、回転を停止した状態で用紙Ｐの搬送を一時的に止め、予め定められたタイミングにて回転を行うことにより、転写部Ｔｐに対してレジストレーション調整を施しながら用紙Ｐを供給する。また用紙供給部３０には、第２給紙部３２から搬送されてきた用紙Ｐをレジロール８５２に向けて搬送する第１搬送ロール５５と、第３給紙部３３から搬送されてきた用紙Ｐを第１搬送ロール５５に向けて搬送する第２搬送ロール６５が設けられている。
【００１７】
また本実施形態における画像形成装置１には、定着部２０を通過した用紙Ｐが積載される用紙積載部ＹＳが設けられている。さらに画像形成装置１には、用紙Ｐが搬送される用紙搬送経路ＹＲが設けられている。また本実施形態における画像形成装置１では、定着部２０を通過した用紙Ｐの表裏を反転させてこの用紙Ｐを転写部Ｔｐに再度供給する用紙反転機構４０が設けられている。この用紙反転機構４０には、定着部２０の下流側にて用紙搬送経路ＹＲに接続され且つレジロール８５２の上流側にて用紙搬送経路ＹＲに合流する反転用搬送経路ＳＲが設けられている。また用紙反転機構４０には、反転用搬送経路ＳＲ上の用紙Ｐを搬送する搬送ロール４８が設けられている。
【００１８】
また画像形成装置１には、画像形成装置１の上部に設けられたスキャナ２００（画像読み取り装置）や不図示のパーソナルコンピュータ（ＰＣ）等からの画像データを受信する受信部４００が設けられている。また、画像形成部１０、定着部２０、および用紙供給部３０の動作全般を制御する制御部５００、受信部４００にて受信された画像データに画像処理を施した後に露光装置１３に画像データを出力する画像処理部６００が設けられている。
【００１９】
さらに画像形成装置１には、表示パネルにより構成されユーザからの指示を受け付けるとともにユーザに対してメッセージ等を表示するユーザインタフェース(ＵＩ)７００が設けられている。なお、上記制御部５００は、ＣＰＵ（Central Processing Unit）、ＲＯＭ（Read Only Memory）、ＲＡＭ（Random Access Memory）、およびＨＤＤ（Hard Disk Drive）（何れも不図示）により構成されている。ＣＰＵでは、処理プログラムが実行される。ＲＯＭには、各種プログラム、各種テーブル、パラメータ等が記憶されている。ＲＡＭは、ＣＰＵによる各種プログラムの実行時におけるワークエリア等として用いられる。
【００２０】
ここで用紙Ｐに画像が形成される際には、図示しないパーソナルコンピュータ等にて形成された画像データが受信部４００にて受信され、受信部４００から画像処理部６００へこの画像データが出力される。そして画像処理部６００にて、画像データに対して画像処理が施される。そして画像処理が施された画像データは、露光装置１３に出力される。画像データを取得した露光装置１３は、帯電装置１２により帯電した感光体ドラム１１を選択的に露光して静電潜像を形成する。そして、形成された静電潜像は、現像装置１４により例えば黒(Ｋ)のトナー像として現像される。
【００２１】
一方、用紙搬送系３０では、画像形成のタイミングに合わせて引き込みロール４３が回転し、用紙収容部４１から用紙Ｐが供給される。そして、捌き機構４４により一枚ずつに捌かれた用紙Ｐは、レジロール８５２まで搬送され、一旦、停止される。その後、感光体ドラム１１の回転タイミングに合わせてレジロール８５２が回転し、用紙Ｐが転写部Ｔｐに供給される。そして、この転写部Ｔｐにおいて感光体ドラム１１に形成されたトナー像が用紙Ｐに転写される。
【００２２】
その後、トナー像が転写された用紙Ｐは、定着部２０にて定着処理を受け、排出ロール７５によってスキャナ２００の下部に位置する用紙積載部ＹＳに排出される。なお用紙Ｐの第１面のみならず第２面にも画像が形成（用紙Ｐの両面に画像が形成）される際には、定着部２０を通過した用紙Ｐは、用紙反転機構４０により表裏が反転されたうえで転写部Ｔｐに再度供給される。そしてこの転写部Ｔｐにて、感光体ドラム１１に形成されたトナー像が用紙Ｐの第２面に転写される。そして、第２面にトナー像が転写された用紙Ｐは、定着部２０によって定着処理を受ける。そしてこの用紙Ｐは用紙積載部ＹＳに排出される。
【００２３】
ところで、近年、コンピュータの普及により幅広い層のユーザがプリンター、複写機、ＦＡＸ等を使用するようになり、メーカーもそれに応じた製品作りを行うようになってきている。例えば、オフィス等で画像形成装置を使用するユーザ向けに長寿命のプロセスカートリッジ１００が提供され、個人で画像形成装置を使用するなど少ないプリントボリュームや安さを求めるユーザ向けに短寿命のプロセスカートリッジ１００が提供されている。
【００２４】
ここで、上記にて説明した画像形成装置１などでは、感光体ドラム１１、帯電ロール、現像ロール、クリーニング装置１６に設けられたクリーニングブレードなどの寿命のうちの最も短い寿命が、プロセスカートリッジ１００の寿命となる。なお、実際には、高価な感光体ドラム１１の寿命によってプロセスカートリッジ１００の寿命が決定される事が多い。ここで感光体ドラム１１の寿命は、一般的に、感光体ドラム１１の金属素管上に形成された樹脂層の膜厚（感光層１１Ａの厚み）が大きいと長くなり、この膜厚が小さいと短くなる。
【００２５】
ところで、上記のとおり、近年では、幅広い層のユーザがプリンター、複写機、ＦＡＸ等を使用するようになり、画像形成装置１に対し、長寿命のプロセスカートリッジ１００が装着されたり、短寿命のプロセスカートリッジ１００が装着されたりする場合が生じうる。ここでプロセスカートリッジ１００の寿命の長短は、上記のとおり、例えば、感光体ドラム１１の膜厚により決まり、感光体ドラム１１の膜厚が大きいと長寿命となり膜厚が小さいと短寿命となる。
【００２６】
ところで感光体ドラム１１の膜厚を変えた場合、感光ドラム１１が有する静電容量に差が生じるようになり、露光時のレーザの光量、帯電条件などを変える必要が生じる。また感光体ドラム１１の外径が異なるようになるため、クリーニングブレードを感光ドラム１１に接触させる際の接触条件（感光体ドラム１１とクリーニングブレードとの角度、感光体ドラム１１とクリーニングブレードとの接触圧など）なども変える必要が生じる。そしてこのように、帯電条件などが変わると、感光体ドラム１１に対する負荷が変わるようになる。そしてこの場合、感光体ドラム１１の寿命予測を、感光体ドラム１１（プロセスカートリッジ１００）毎に行う必要が生じる。付言すると、感光体ドラム１１毎に複雑な計算を行い感光体ドラム１１毎に寿命予測を行う必要が生じる。そしてこの場合、複数の制御式を画像形成装置１に持たせる必要があり、処理を行うためのソフトの容量が膨大になってしまう。
【００２７】
そこで本実施形態における画像形成装置１では、このような不具合の発生を抑制するため、感光体ドラム１１の膜厚によらずに、プロセスカートリッジ１００の寿命を異ならせるようにしている。具体的には、感光層１１Ａ（図２参照）の厚み（感光体ドラム１１の外径）は等しいが、感光層１１Ａを形成している材料が互いに異なる複数種類の感光体ドラム１１を用意し、この複数種類の感光体ドラム１１を用いて、寿命が互いに異なる複数種類のプロセスカートリッジ１００を構成するようにしている。
【００２８】
具体的に説明すると、潤滑剤として機能するＰＴＦＥ（ポリテトラフルオロエチレン）（フッ素系樹脂）の感光層１１Ａに対する添加の有無によって寿命が互いに異なる複数種類の感光体ドラム１１を用意し、この複数種類の感光体ドラム１１を用いて、寿命が互いに異なるプロセスカートリッジ１００を構成するようにしている。さらに説明すると、耐摩耗性能を向上させる物質の添加の有無によって、耐摩耗性が異なり寿命が異なる複数種類の感光体ドラム１１を用意し、この複数種類の感光体ドラム１１を用いて、寿命が互いに異なるプロセスカートリッジ１００を構成するようにしている。なおここでは、ＰＴＦＥの添加の有無によって、感光体ドラム１１の寿命を異ならせるが、ＰＴＦＥを添加する量によって、感光体ドラム１１の寿命を異ならせてもよい。
【００２９】
さらに説明すると、図１、図２にて示したプロセスカートリッジ１００（第１の装着部材の一例）は、短い寿命のプロセスカートリッジ１００を例示しており、感光体ドラム１１（第１の像保持体の一例）の感光層１１Ａの厚みＴｈ（図２参照）は、３７μｍとなっている。またこの感光体ドラム１１の外径（直径）は３０ｍｍとなっている。また、この感光体ドラム１１の感光層１１Ａには、ＰＴＦＥが含まれていない。
【００３０】
また本実施形態では、短い寿命の上記プロセスカートリッジ１００に替えて、寿命の長いもう一種類のプロセスカートリッジ１００（第２の装着部材の一例）が画像形成装置１の装置本体に装着可能となっている。付言すると、上記短い寿命のプロセスカートリッジ１００が装着されていた箇所（被装着部）に装着可能なもう一種類のプロセスカートリッジ１００を用意している。このプロセスカートリッジ１００では、図３（感光体ドラム１１の他の構成例を示した図）に示すように、感光体ドラム１１（第２の像保持体の一例）の感光層１１Ａの厚みＴｈは、上記と同様に３７μｍとなっている。またこの感光体ドラム１１の外径は、上記と同様に３０ｍｍとなっている。その一方で、この感光体ドラム１１では、感光層１１Ａに設けられたオーバーコート層（ＯＣＬ）にＰＴＦＥが添加された状態となっている。
【００３１】
このように、寿命の短い一の種類のプロセスカートリッジ１００（以下、「第１プロセスカートリッジ１００」と称する）の感光層１１Ａの厚み（感光体ドラム１１の外径）と、寿命の長い他の種類のプロセスカートリッジ１００（以下、「第２プロセスカートリッジ１００」と称する）の感光層１１Ａの厚み（感光体ドラム１１の外径）とが等しい場合、第１プロセスカートリッジ１００における帯電性能と、第２プロセスカートリッジ１００における帯電性能との差は非常に小さいものとなる。また、現像性能の差も非常に小さくなる。
【００３２】
また、第１プロセスカートリッジ１００を用いる際の帯電条件、現像条件、クリーニング条件と、第２プロセスカートリッジ１００を用いる際の帯電条件、現像条件、クリーニング条件との差も非常に小さくなる。そしてこのように性能差が小さくなると、寿命予測のための上記複雑な計算を行わずに済む。具体的に説明すると、感光体ドラム１１の回転数によって寿命の予測を行うことが可能となる。例えば、寿命の長い第２プロセスカートリッジ１００では、３８０〔kcycle〕を閾値（第２の閾値の一例）とし、感光体ドラム１１の回転数がこの閾値を超えた場合に寿命に達したと判断することができる。また、寿命が短い第１プロセスカートリッジ１００では、２４０〔kcycle〕を閾値（第１の閾値の一例）とし、感光体ドラム１１の回転数がこの閾値を超えた場合に寿命に達したと判断することができる。なお寿命の判断は、寿命判断手段として機能する制御部５００により行われる。
【００３３】
なお本実施形態では、プロセスカートリッジ１００の種類に関する情報、感光体ドラム１１の回転数に関する情報がプロセスカートリッジ１００に設けられている記憶媒体１７（図１参照）に書きこまれる。そして本実施形態では、この記憶媒体１７から情報を読み出すことで、画像形成装置１に装着されたプロセスカートリッジ１００の種類を把握するようにしている。より具体的には、装着されたプロセスカートリッジ１００が長寿命のプロセスカートリッジ１００であるか短寿命のプロセスカートリッジ１００であるかを判別するようにしている。
【００３４】
また、記憶媒体１７から情報を読み出すことで、装着されたプロセスカートリッジ１００の感光体ドラム１１の回転数を把握するようにしている。そして把握した回転数と、装着後の感光体ドラム１１の回転数とを加算し、加算した回転数が、上記閾値を超えたか否かを判断している。本実施形態のように記憶媒体１７を設ける場合、画像形成装置１から一旦取り外されたプロセスカートリッジ１００が、画像形成装置１に再度装着される場合であっても感光体ドラム１１の正確な回転数が把握される。なお上記では、二成分現像剤が収容されたプロセスカートリッジ１００を例示したが、キャリアを使用せずに結着樹脂中に磁性体粉末を含有させたいわゆる一成分現像剤を用いる場合は、プロセスカートリッジ１００の寿命に見合ったトナーのみをプロセスカートリッジ１００に収容すればよいため、更なる低コスト化が図れるようになる。なお上記では説明を省略したが、ＰＴＦＥが添加されている感光体ドラム１１と添加されていない感光体ドラム１１とでは感度が異なるため、露光を行う際の条件は異ならせる必要がある。
【符号の説明】
【００３５】
１…画像形成装置、１１…感光体ドラム、１１Ａ…感光層、１４…現像装置、１７…記憶媒体、１００…プロセスカートリッジ、５００…制御部
【図１】
2012098532.tif 000003
【図２】
2012098532.tif 000004
【図３】
2012098532.tif 000005